(57)【要約】【課題】遠心流体機械において、作動範囲や効率を犠牲にすることなく、羽根車の振動を低減する。【解決手段】遠心流体機械１００は、遠心羽根車３と、この遠心羽根車の下流側に配置され周方向に間隔をおいて配置された複数枚の案内羽根１３を有するディフューザ８と備える。複数の案内羽根は、周方向の配置間隔θが異なるものを含む。この周方向配置間隔が異なる案内羽根は、翼弦長Ｃも異なる。これにより、作動範囲や効率を犠牲にすることなく、羽根車の振動を低減できる。【選択図】図１
2007315333.tif 000002
【特許請求の範囲】
【請求項１】
遠心羽根車と、この遠心羽根車の下流側に配置され周方向に間隔をおいて配置された複数枚の案内羽根を有するディフューザと備えた遠心流体機械において、
前記複数の案内羽根は周方向の配置間隔が異なるものを含んでおり、この周方向配置間隔が異なる案内羽根の翼弦長も異なっていることを特徴とする遠心流体機械。
【請求項２】
前記複数の案内羽根において、隣り合う羽根の周方向配置間隔を、規則的に変化させたことを特徴とする請求項１に記載の遠心流体機械。
【請求項３】
前記複数の案内羽根で形成される円環翼列における弦節比が、どの案内羽根においても実質的に同一であることを特徴とする請求項１に記載の遠心流体機械。
【請求項４】
前記弦節比が１以下であることを特徴とする請求項３に記載の遠心流体機械。
【請求項５】
前記円環翼列における各案内羽根の周方向配置間隔は、基準案内羽根から周方向に順にその間隔が増大し、この基準案内羽根と周方向ほぼ対称位置にある案内羽根から周方向に順にその間隔を減少させることを特徴とする請求項３に記載の遠心流体機械。
【請求項６】
前記複数の案内羽根の羽根長さを、前記案内羽根の周方向間隔に応じて変化させたことを特徴とする請求項２に記載の遠心流体機械。
【請求項７】
遠心羽根車と、この遠心羽根車の下流側に配置され周方向に間隔をおいて配置された複数枚の案内羽根を有するディフューザと備えた遠心流体機械において、
前記複数の案内羽根は、その周方向配置間隔が基準となる案内羽根から周方向に実質的に同じ量だけ減少させて配置されていることを特徴とする遠心流体機械。
【請求項８】
前記複数の案内羽根が形成する円環翼列の弦節比が、どの案内羽根においてもほぼ等しくなるように前記案内羽根の翼弦長を変化させたことを特徴とする請求項７に記載の遠心流体機械。
【請求項９】
前記遠心流体機械が、遠心圧縮機であることを特徴とする請求項１ないし８のいずれか１項に記載の遠心流体機械。
【発明の詳細な説明】
【技術分野】
【０００１】
本発明は、遠心流体機械に係り、特に炭化水素系ガスや炭酸ガス等の各種ガスを取扱うのに好適な遠心圧縮機に関する。
【背景技術】
【０００２】
遠心流体機械への応用を目的とした羽付回転円板の例が、非特許文献１に記載されている。この論文には、回転円板に複数の羽根を取り付けたときに、この回転円板に誘起される振動について研究した結果が記載されている。この論文によれば、円板に取り付けた羽根の枚数と静止側にある静翼やノズルの励振源の数との関係において、ｈ×Ｚｓ±ｎ＝ｍ×Ｚｒであれば、円板上にｎ節直径モードの振動が励振されるとされている。ここで、ｈおよびｍは整数であり、ｎは羽根車直径節の振動モード次数、Ｚｓは静翼の羽根枚数、
Ｚｒは回転円板上の羽根枚数である。
【０００３】
また、特許文献１および非特許文献２には、軸流圧縮機において等ピッチに静翼を配置したことにより、動翼に不均一な流れ場による励振力が作用する不具合を改善するために、水平軸の軸流圧縮機において、静翼列を形成する静翼の中で上半分に配置される静翼と、下半分に配置される静翼のピッチ角を異ならせることが記載されている。
【０００４】
【特許文献１】特開平１１−２００８０８号公報
【非特許文献１】久保田、他４名、「静止側の静止励振源による羽根付回転円板の振動」、日本機械学会論文集（Ｃ編）、４９巻、４３９号、１９８３年、第３０７〜  ３１３頁
【非特許文献２】金子、他１名、「非対称配置静翼を利用した圧縮機動翼の振動応力低減」、日本機械学会論文集（Ｃ編）、７１巻、７１２号、２００５年１２月、第  ３４０９〜３４１６頁
【発明の開示】
【発明が解決しようとする課題】
【０００５】
上記従来の技術に記載のものでは、静止翼列と回転翼列における干渉に起因する励振力を低減するための方策として、例えば羽根車の羽根枚数と静止翼列の羽根枚数の組合せにより調和振動が発生することから、このような組合せを避けることが示唆されており（非特許文献１）、また、上下に配置する静止翼列のピッチ角を変えることが記載されている（特許文献１及び非特許文献２）。
【０００６】
しかしながら、上記非特許文献１では羽根車と静止側の羽根枚数の組合せを調節すれば、調和振動を回避できるが、効率や作動範囲を考慮したときには回避すべき羽根枚数の組合せを選ばざるを得ない場合もあり、現実的には困難な場合もある。また、この組合せを回避すれば調和振動は確かに低減できると思われるが、羽根車と静止側の干渉はこのような場合でも残るので、この干渉による励振力のさらなる低減が望まれる。
【０００７】
一方、特許文献１や非特許文献２に記載のものは横軸の軸流圧縮機であるから、立軸や横軸の遠心圧縮機については、十分に考慮されていない。特に、立軸にしたときにもこの考えを適用できるのかは全く不明である。
【０００８】
本発明は上記従来技術の不具合に鑑みなされたものであり、その目的は、遠心流体機械において、作動範囲や効率を犠牲にすることなく、羽根車の振動を低減することにある。本発明の他の目的は、信頼性の高い遠心流体機械を実現することにある。
【課題を解決するための手段】
【０００９】
上記目的を達成する本発明の特徴は、遠心羽根車と、この遠心羽根車の下流側に配置され周方向に間隔をおいて配置された複数枚の案内羽根を有するディフューザと備えた遠心流体機械において、複数の案内羽根は周方向の配置間隔が異なるものを含んでおり、この周方向配置間隔が異なる案内羽根の翼弦長も異なっていることにある。
【００１０】
そしてこの特徴において、複数の案内羽根において、隣り合う羽根の周方向配置間隔を、規則的に変化させるのがよく、複数の案内羽根で形成される円環翼列における弦節比が、どの案内羽根においても実質的に同一であることが望ましい。さらにこの弦節比が１以下であるのがよい。
【００１１】
上記特徴において、円環翼列における各案内羽根の周方向配置間隔は、基準案内羽根から周方向に順にその間隔が増大し、この基準案内羽根と周方向ほぼ対称位置にある案内羽根から周方向に順にその間隔を減少させるものであってもよい。また、複数の案内羽根の羽根長さを、案内羽根の周方向間隔に応じて変化させるのが望ましい。
【００１２】
上記目的を達成する本発明の他の特徴は、遠心羽根車と、この遠心羽根車の下流側に配置され周方向に間隔をおいて配置された複数枚の案内羽根を有するディフューザと備えた遠心流体機械において、複数の案内羽根は、その周方向配置間隔が基準となる案内羽根から周方向に実質的に同じ量だけ減少させて配置されていることにある。そしてこの特徴において、複数の案内羽根が形成する円環翼列の弦節比が、どの案内羽根においてもほぼ等しくなるように案内羽根の翼弦長を変化させるのがよい。また上記いずれの特徴においても、遠心流体機械は遠心圧縮機であることが望ましい。
【発明の効果】
【００１３】
本発明によれば、遠心流体機械において、ディフューザが有する複数の羽根の羽根取り付けピッチを変えるとともに弦節比をほぼ一定にしたので、羽根車とディフューザとの干渉による励振力を低減でき、作動範囲や効率を犠牲にすることなく、羽根車の振動を低減できる。その結果、遠心流体機械の信頼性が向上する。
【発明を実施するための最良の形態】
【００１４】
以下、本発明に係る遠心流体機械のいくつかの実施例を、図面を用いて説明する。以下の説明においては、遠心流体機械として高圧遠心圧縮機を例にとり説明するが、本発明はこれに限らず、種々の遠心流体機械に適用できる。図３に、石油化学プラント用途等に用いる高圧遠心圧縮機１００を、縦断面図で示す。
【００１５】
回転軸２ａに、多数、この図３では５枚の遠心羽根車３が取り付けられて、ロータ２を構成する。ロータ２は、ケーシング１内に収容されている。回転軸２ａの両端部には、このロータ２を回転自在に支持するラジアル軸受４が配置されている。ロータ２を軸方向に支持するスラスト軸受５が、左側のラジアル軸受４のさらに端部側に配置されている。
【００１６】
左右のラジアル軸受４の内側には、このラジアル軸受４を潤滑した油が機内側に漏れるのを防止する軸封装置６が配置されている。回転軸２ａの右端側には、図示しないカップリングを介して駆動機が接続されている。駆動機が回転軸２ａを回転駆動すると、各羽根車３が回転して各羽根車３の吸込み側から吸い込まれたガスを、半径方向に圧縮して吐出する。
【００１７】
各羽根車３の下流側であって半径方向外方には、羽根車３でガスに与えられた運動エネルギーを圧力エネルギーに変換するディフューザ８が配置されている。ディフューザ８を出た流れを次段の羽根車３に導くＵ字型の流路の半径方向内側には、複数の案内板を有するリターンチャンネル９が形成されている。
【００１８】
初段羽根車３の吸込み側には、この圧縮機１００の外周側から半径方向内向きに吸込み流路が形成されており、吸込み流路の外周端面は吸込み口７を形成する。最終段羽根車３の吐出側には、渦巻状のスクロール１０ａが形成されており、羽根車３の羽根３ａ間に形成された各流路から吐出された圧縮ガスを集める。スクロール１０ａに集められた圧縮ガスは、半径方向外向きに形成された吐出流路１０から機外に吐出される。
【００１９】
吸込み口７から吸込まれたガスは、羽根車３，ディフューザ８，リターンチャンネル９とで構成される圧縮段で複数回圧縮され、吐出流路１０を経て機外に吐出される。図４に、図３に示した圧縮機１００の１つの圧縮段を取り出して、縦断面図で示す。駆動機からのエネルギーが羽根車３で角運動量として流体に伝達される。羽根車３内では、流体はポテンシャルエネルギーが上昇（静圧上昇）するとともに、運動エネルギーも上昇（速度エネルギー上昇）する。
【００２０】
上述したように、ディフューザ８内で速度エネルギーの一部が圧力エネルギーに変換される。ディフューザ８を出た流れは、リターンチャンネル９で徐々にラジアル方向流れに流れ方向が変えられる。そして、次段の羽根車３の入口では、流れの向きを軸方向に向けられる。この図４では、ディフューザ８とリターンチャンネル９の壁面を、２つのダイヤフラム１１，１２で構成している。
【００２１】
ここで、中小流量遠心圧縮機では、ディフューザ８に流入するガスは、半径方向速度成分よりも周方向速度成分の大きい周方向に近づいた流れとなっている。このように周方向に近づいた流れのままディフューザ８で自由渦流れを継続すると、ディフューザ出口に到達するまでの流路長さが長くなり、ディフューザ８壁面との摩擦損失が増加する。そこで、本実施例では、ディフューザ８の入口部に、周方向に間隔をおいて複数の案内羽根１３を配置して、ディフューザ８内の流れの向きを半径方向に変えている。
【００２２】
ディフューザ８の詳細を、図１に示す。図１は、図４のＡ−Ａ断面図である。ディフューザ８には、１４枚の案内羽根１３を設けている。案内羽根１３の出口の流れ角α３が案内羽根１３の入口流れ角α２よりも大きくなるように、各案内羽根１３を配置する。これにより、ディフューザ８流路内での流路長さが短くなり、ディフューザ壁面との摩擦損失が低減する。
【００２３】
ところで、本実施例ではディフューザ８内の流れの向きを変えて摩擦損失を低減するだけでなく、羽根車３から周期的に変動して流出される流れがディフューザ８の案内羽根
１３に衝突して生じる異常な振動，騒音を低減している。すなわち、羽根車３の羽根３ａとディフューザ８の案内羽根１３との相互干渉により発生する調和振動（共振）の発生を回避している。この具体的方法を、以下に説明する。
【００２４】
案内羽根１３の周方向間隔は、案内羽根１３の入口先端と軸心Ｏを結ぶ線を基準に表す。すなわち、第１の案内羽根１３1 の先端位置から、第２の案内羽根１３2 の先端位置までの周方向角度を、角度θ1 とする。ここで、第１の案内羽根１３1 は、周方向角度θが最も大きい。以下、第２，第３，…の案内羽根１３2，１３3，…の周方向角度θ2，θ3，… は、式（１）〜式（４）を満足するように選定する。
【００２５】
θ1−θ2＝Δθ1、  θi−θi+1＝Δθi                            ………（１）
Δθ1＞．．．＞Δθi＞Δθi+1                                   ………（２）
（ｉ＝１，２，…，ＩＮＴ（ｎ／２）；前半部）                    ………（３）
ΔθINT(n/2)＜．．．＜Δθn-1＜Δθn                            ………（４）
（ｉ＝ＩＮＴ（ｎ／２），…，ｎ−１，ｎ；後半部）                ………（５）
ここで、ｎは案内羽根１３の総数であり、ＩＮＴ（ｎ／２）は、ｎ／２の整数部である。具体的には、γ＝Δθi+1−Δθi＝３６０度／(２×(案内羽根１３の枚数)2) のように定めると、調和振動の発生を回避した案内羽根１３位置にすることができる。
【００２６】
第１の案内羽根１３1 からディフューザ８の半円周までは、上記式（１）〜（３）にしたがって、案内羽根１３の周方向間隔を順次減少させる。第１の案内羽根１３1 からディフューザ８を半円周以上進んだら、案内羽根１３の周方向間隔（ピッチ）が、式（４），（５）に示すように、式（２），（３）の左右の項の関係を逆にした式とする。そして、最後の案内羽根１３f の周方向間隔θf と最初の間隔θ1 が、γを満足するようにする。つまり、基準案内羽根１３から半円周は、次第に案内羽根８のピッチ間隔が減るように案内羽根８を配置し、残りの半円周は次第に案内羽根８のピッチ間隔が増えるように案内羽根８を配置して円環翼列を形成する。
【００２７】
ところで、案内羽根１３の周方向間隔θをディフューザ８の周方向に変えると、流れが不均一になり、ディフューザ８の流体性能が低下するおそれがある。周方向に不均一な流れが、次段の羽根車に吸込まれるからである。特に、案内羽根１３のピッチθが狭まる部分では、サージングやチョークを生じる流量が設計流量に近づいて、作動範囲を狭めることになりかねない。
【００２８】
そこで本実施例では、ディフューザ８における流体性能の低下を防止するために、案内羽根１３が形成する円環翼列の弦節比が、どの案内羽根１３間であってもほぼ同じになるように弦節比を設定する。そのため、案内羽根１３の長さである翼弦長（コード）を変化させる。
【００２９】
その際、弦節比をほぼ１以下にする。弦節比が１より小さいので、隣り合う２枚の案内羽根１３が形成する流路には、スロートと呼ばれるのど部が存在しない。その結果、不均一な案内羽根１３間の間隔であっても、案内羽根１３間の間隔が狭まることによりのど部が形成され流れを制約する、という不具合の発生を防止できる。のど部が無いので、ディフューザ８の入口からのど部までの間で流れが剥離するのも防止できる。つまり、案内羽根１３を設けたので、チョークやサージングの発生を設計点から遠ざけることが可能になる。
【００３０】
この弦節比の設定の具体的な方法を、以下に説明する。案内羽根１３i の後縁と軸心を結ぶ直線が、この案内羽根１３i に隣り合う案内羽根１３i+1 の前縁と軸心を結んだ直線となす角をβi とする。βi がプラスであれば、案内羽根１３i の後縁と軸心を結ぶ線は、案内羽根１３i+1 と交差しない。そして、案内羽根１３i と案内羽根１３i+1 の間の流路には、のど部が生じない。つまり、βi／θi（ｉ＝１，２，…）がほぼ同じになるように、各案内羽根１３の弦長Ｃiを設定する。その際、各案内羽根１３の取り付角を同一にして、案内羽根１３に流入する流体の流れ角を均一にする。
【００３１】
本実施例によれば、羽根車３とディフューザ８の案内羽根１３の干渉による振動騒音を低減するために、ディフューザ８の案内羽根１３を不等ピッチに形成したときであっても、ディフューザ８が有するどの案内羽根１３間にものど部が形成されず、弦節比をほぼ同じに設定できる。ディフューザ８での圧力回復性能と流れ角を、均一ピッチのディフューザと同程度にすることができる。また、案内羽根１３の周方向ピッチを不均一にしたので、羽根車３の羽根と案内羽根１３の羽根枚数に起因して発生する調和振動を抑制できるので、羽根車３に作用する応力を低減でき、強度上の安全性が向上する。
【００３２】
本発明に係るディフューザ８の他の実施例を、図２に示す。図２は、ディフューザ８部の横断面図である。図１に示した実施例では、ディフューザ８の案内羽根１３を偶数枚にしていたが、本実施例では案内羽根１３の枚数が奇数になっている。本実施例でも、基準の案内羽根１３1 から所定枚数だけは、上記式（１），（２）を用いて、単調減少的に案内羽根１３間の周方向間隔（ピッチ）を狭め、所定の案内羽根１３i からは逆に案内羽根１３間の周方向間隔を単調増加させて、基準の案内羽根１３1 に至るようにする。この所定案内羽根１３i は、基準案内羽根１３1 から周方向対称な位置に最も近い羽根とするのがよい。
【００３３】
なお、周方向間隔は、必ずしも式（１），（２）に従って増減させる必要は無く、案内羽根１３の周方向間隔が増から減、または減から増に変化するところでは、周方向間隔を適宜定めることができる。なおこの場合であっても、案内羽根１３の性能に大きく影響する弦節比が予め定めた値または範囲になるように、案内羽根１３の長さを設定する。つまり本実施例においても、案内羽根１３の弦節比が、どの案内羽根１３でも実質的に同じになるように案内羽根１３のコード長さＣを設定する。
【００３４】
上記各実施例によれば、案内羽根１３の枚数が偶数または奇数に拘わらず、案内羽根間のピッチを不均一にし案内羽根間にのど部が形成されないようにしたこと、および案内羽根が形成する円環翼列の弦節比をどの案内羽根の部分でもほぼ同じにしたことから、ディフューザでの圧力回復性能や流れ角の向きを、従来好適なディフューザに比べて大幅に低下または変えることがない。その結果、ディフューザの流体性能を確保できる。また、案内羽根を周方向に不均一に配置したので、羽根車の羽根と案内羽根の枚数に起因する調和振動の成立条件を回避でき、羽根車に余分な応力が負荷されるのを防止できる。
【００３５】
上記各実施例では、案内羽根の周方向間隔を規則的に変化させていたが、周方向間隔をランダムに変化させてもよい。ただし、この場合でも、案内羽根が形成する円環翼列の弦節比が、どの案内羽根でもほぼ同じになるようにする。このように案内羽根を構成すると、調和振動を回避できるだけでなく、ディフューザの流体性能の低下を抑制できる。
【図面の簡単な説明】
【００３６】
【図１】本発明に係る遠心圧縮機ディフューザ部の一実施例の横断面図。
【図２】本発明に係る遠心圧縮機ディフューザ部の他の実施例の横断面図。
【図３】本発明に係る遠心圧縮機の一実施例の縦断面図。
【図４】図１および図２に示した圧縮機ディフューザ部の縦断面図。
【符号の説明】
【００３７】
１…ケーシング、２…ロータ、２ａ…回転軸、３…羽根車、３ａ…羽根、４…ラジアル軸受、５…スラスト軸受、６…軸封装置、７…吸込み口、８…ディフューザ（案内羽根）、９…リターンチャンネル、１０…吐出流路、１１…前側ダイヤフラム、１２…後側ダイヤフラム、１３…案内羽根、１００…圧縮機。
【図１】
2007315333.tif 000003
【図２】
2007315333.tif 000004
【図３】
2007315333.tif 000005
【図４】
2007315333.tif 000006